(57)【要約】【課題】弾性ベース体が背もたれから著しく突出しないようにすると共に、弾性ベース体を背もたれの上部に着脱自在に取り付けることができること。また、スピーカーを弾性ベース体の好みの部位に自在に取付けることができること。【構成】係脱手段の一方を有し、かつ椅子の背もたれ上部の少なくとも頂部前面から背面にかけて取付け手段を介して着脱自在に設けられる扁平状の弾性ベース体と、裏側に係脱手段の他方を有するスピーカーとから成り、スピーカーは、係脱手段を介して弾性ベース体の好みの位置に係脱自在に取付けられる椅子用音発生装置。【選択図】図１
2011229553.tif 000002
【特許請求の範囲】
【請求項１】
係脱手段の一方を有し、かつ椅子の背もたれ上部の少なくとも頂部前面から背面にかけて取付け手段を介して着脱自在に設けられる扁平状の弾性ベース体と、裏側に前記係脱手段の他方を有するスピーカーとから成り、前記スピーカーは、前記係脱手段を介して前記弾性ベース体の好みの位置に係脱自在に取付けられることを特徴とする椅子用音発生装置。
【請求項２】
請求項１に於いて、弾性ベース体の中央には、開口部が形成されていることを特徴とする椅子用音発生装置。
【請求項３】
請求項２に於いて、スピーカーは、弾性ベース体の左右端部に上下方向の端部に沿って取付け可能であることを特徴とする椅子用音発生装置。
【請求項４】
請求項１に於いて、スピーカーに基板を取付け、該基板に少なくともスピーカーから放出される放出音を増幅する増幅手段を設けたことを特徴とする椅子用音発生装置。
【請求項５】
請求項１に於いて、前記取付け手段の他方であるメス面ファスナーの両端部側に相当する弾性ベース体の一端部の縁部付近には、取付け手段の一方を構成する帯状のバンドの自由端部を挿入することができるスリットが形成されていることを特徴とする椅子用音発生装置。
【発明の詳細な説明】
【技術分野】
【０００１】
本発明は、普通一般の椅子、自動車のシート座席、飛行機の座席などの椅子の背もたれに取り付けられる椅子用音発生装置に関する。
【背景技術】
【０００２】
特許文献１には、例えば枕を有する椅子の背もたれ上部に椅子用音響装置を取り付ける事項が記載されている。この椅子用音響装置は、やや肉厚の枕覆（枕カバー）と、該枕カバーに内装された左右一対のスピーカーとから成り、前記枕カバーの左右には、前記スピーカーの前面が露出するように開口部が形成されている。この特許文献１の問題点は、（ａ）左右のスピーカーが枕カバーに内装されているので、使用者はスピーカーを好みの位置に自由に取付けることができない点、（ｂ）背もたれに枕カバーを取り付けると、左右のスピーカーが使用者の背中で隠れてしまうので、背もたれの上部に装着することができない点である。
【０００３】
一方、特許文献２は、椅子の背もたれの上部に取付けられる電気音響変換システムが記載されている。この特許文献２の電気音響変換システムは、平面視コ字形状の取付け体と、この取付け体の左右アーム部の先端部に固定された左右のスピーカーとを有し、該取付け体の連結杆部は固着手段を介して背もたれの頂部の上面に固定される。この電気音響変換システムは、前記左右のスピーカーを使用者の耳元に位置付けることができるという利点を有するものの、取付け体が背もたれの頂部から著しく突出する、取付け体を椅子に着脱自在に取付けることができない等の問題点がある。
【先行技術文献】
【特許文献】
【０００４】
【特許文献１】特開平１−８６７９４号公報
【特許文献２】特開平８−４７０８０号公報
【発明の概要】
【発明が解決しようとする課題】
【０００５】
本発明の所期の目的は、弾性ベース体が背もたれから著しく突出しないようにすると共に、弾性ベース体を背もたれの上部に着脱自在に取り付けることができることである。第２の目的は、使用者が弾性ベース体の所望する位置にスピーカーを着脱自在に取り付けることができることである。付言すると、使用者の耳元付近にスピーカーが位置するように弾性ベース体にスピーカーを簡単に取付けることができることである。
【課題を解決するための手段】
【０００６】
本発明の椅子用音発生装置は、係脱手段の一方を有し、かつ椅子の背もたれ上部の少なくとも頂部前面から背面にかけて取付け手段を介して着脱自在に設けられる扁平状の弾性ベース体と、裏側に前記係脱手段の他方を有するスピーカーとから成り、前記スピーカーは、前記係脱手段を介して前記弾性ベース体の好みの位置に係脱自在に取付けられることを特徴とする。
【発明の効果】
【０００７】
（ａ）請求項１に記載の発明は、弾性ベース体が扁平状なので、背もたれから著しく食み出ないと共に、ベース体を背もたれの上部に簡単に取り付け又は取外すことができる。また、使用者はスピーカーを弾性ベース体の好みの位置に係着自在に取付けられることができる。
（ｂ）請求項２に記載の発明は、座席にヘッドレスト（枕部材）を有する座席の場合（例えば自動車の座席）でも、ヘッドレストを外さずにそのまま弾性ベース体を背もたれの頂部に装着することができる。
（ｃ）請求項３に記載の発明は、スピーカーを弾性ベース体の上下方向の端部に沿って取付けられことが可能である。したがって、スピーカーを可能な限り使用者の好みの位置に配設することができる。また、スピーカーが背もたれ部の邪魔にならない。
（ｄ）請求項４に記載の発明は、音源送信装置からの音源をリモコン方式で受け取ることができるので、コードが不要である。したがって、椅子を自由に動かすことができる。
（ｅ）請求項５に記載の発明は、スリットに左右の帯状のバンドの自由端部をそれぞれ通すと、これらの帯状のバンドが簡単に外れないと共に、背もたれの頂部に弾性ベース体を滑動しないように縛り付けることができる。
【図面の簡単な説明】
【０００８】
図１乃至図８は本発明の第１実施形態を示各説明図。図９及び図１０は本発明の第２実施形態を示各説明図。図１１及び図１２は本発明の第２実施形態を示各説明図。
【図１】第１実施例の取付け状態を示す説明図。
【図２】図１を基準した裏面からの説明図。
【図３】弾性ベース体の正面図。
【図４】図１の４−４線断面図。
【図５】図１に於いて、弾性ベース体にスピーカーを取り付ける場合の説明図。
【図６】スピーカーが椅子の背もたれの好みの位置に取り付けられることを示す説明図。
【図７】実施形態に係る全体構成の説明図。
【図８】本発明を含む送受信装置の説明図。
【図９】第２実施例のスピーカーの取付け構造を示す分解説明図。
【図１０】スピーカーの取付け構造を示す説明図。
【図１１】第３実施例のスピーカーの取付け構造を示す分解説明図。
【図１２】スピーカーの取付け構造を示す説明図。
【発明を実施するための最良の形態】
【０００９】
以下、図１乃至図８に示す第１実施形態により本発明を詳細に説明する。
【００１０】
（１）基本的構成
図１は椅子Ｙの背もたれ１ｂに、椅子用音発生装置（以下、「本装置Ｘ」という）を取り付けた状態の斜視図である。また、図２は図１を基準した裏面からの説明図である。これらの図に於いて、便宜上、椅子Ｙのヘッドレスト（枕部材）を省略してある。本装置Ｘはヘッドレストを有する椅子Ｙと、ヘッドレストを有しない椅子Ｙの両方に取付けることができる。これらの図に於いて、Ｙは、例えば座椅子型のソフアー、普通一般のソフアー、自動車の座席、船舶の座席などの椅子である。ここでの「椅子」とは、用途を問わず、少なくとも、座部１ａと、背もたれ１ｂを有するものを言う。したがって、ヘッドレスト（枕部材）を有する座席の場合（例えば自動車の座席）は当然に含まれ、この種の座席は、ヘッドレストを外さずにそのまま弾性ベース体２を背もたれの頂部に装着することができる。
【００１１】
さて、本装置Ｘの基本的構成は、椅子Ｙの背もたれ１ｂと、この背もたれ１ｂの上部に取り外し自在に装着される弾性ベース体２と、この弾性ベース体２の表面や端部に係脱自在に取付けられる単数又は複数のスピーカー３とから成る。そして、前記弾性ベース体２は、該弾性ベース体２に取り付けられた取付け手段４を介して前記背もたれ１ｂに自在に取り付けられ、また、前記スピーカー３は該スピーカー３と前記弾性ベース体２の両方で構成する係脱手段５を介して使用者の好みの位置に自在に取り付けられる。
【００１２】
（２）弾性ベース体
図３は、弾性ベース体２の正面図である。ここでは、２ａを弾性ベース体２の表面とする。弾性ベース体２は、扁平状かつ矩形状である。図３は椅子Ｙの背もたれ１ｂに取り付ける前、又は椅子Ｙの背もたれ１ｂから取外した後の展開状態である。弾性ベース体２の大きさや形状は特に限定するものではない。しかしながら、例えば、その形状は矩形状又は楕円形状で、その中央部に所要幅の開口部７が形成されているのが望ましい。開口部７の所要幅は、前述したように椅子Ｙのヘッドレストを外さずにそのまま弾性ベース体２を背もたれの頂部に装着することができる幅である。また、その大きさは横４００ｍｍ程度、縦５００ｍｍ程度である。さらに、その厚さは５ｍｍ程度である。
【００１３】
しかして、図３の開口部７を基準にすると、左右の端部２ｃ、２ｃ（図では左右）の下端部の縁部には、取付け手段４の一方を構成する帯状のバンド８、９の基端部が取付けられている。これらのバンド８、９の長さは、各自由端部が互いに重なり合う所要長である。そして、これらのバンド８、９の裏面には、例えばオス側脱着部材の一例であるオス面ファスナーが取付けられている。
【００１４】
一方、弾性ベース体２の下端部２ｂとは反対側の端部２ｄ（図では上端部）には、取付け手段４の他方を構成する帯状のメス面ファスナー１０が横方向に設けられている。図４は、取付け手段４を介して弾性ベース体２を背もたれ１ｂの頂部に装着した概略断面説明図である。この図に於いて、弾性ベース体２の開口部７を背もたれ１ｂの頂部に位置付けるように、該弾性ベース体２を背もたれ１ｂの頂部前面から背面にかけて屈曲させた場合に於いて、該メス面ファスナー１０と前記不番のオス面ファスナーとは、左右のバンド８、９を背もたれ１ｂの後に巻きつけるようにすると係着する。したがって、弾性ベース体２を背もたれ１ｂから取り外す時は、左右のバンド８、９を引っ張ってメス面ファスナー１０から簡単に外すことができる。このように、本実施例の弾性ベース体２は扁平状なので、背もたれの表面から著しく食み出ないと共に、弾性ベース体を背もたれの上部にフィットするように簡単に取り付け又は取外すことができる。
【００１５】
なお、本実施例では、前記メス面ファスナー１０の両端部側に相当する弾性ベース体２の一端部（図３では上端部２ｄ）の縁部付近には、前記帯状のバンド８、９の自由端部をそれぞれ挿入することができるスリット１２、１２が形成されている。これらのスリット１２、１２に帯状のバンド８、９の自由端部を通すと、帯状のバンド８、９が簡単に外れないと共に、背もたれ１ｂの頂部に弾性ベース体２を滑動しないように縛り付けることができる（図２参照）。
【００１６】
ところで、弾性ベース体２の表面２ａには、前述した係脱手段５の一方が設けられている。すなわち、図３で示すように、ベース本体２の表面の左右端部２ｃ、２ｃには、上下方向にスピーカー用メス面ファスナー５ａ、５ａが帯状に設けられている。左右のメス面ファスナー５ａ、５ａは、図３の下端部から上端部に至るまでそれぞれ設けても良いが、下端部から開口部７付近まで設けても良い。付言すると、必ずしも下端部から上端部に至るまで設ける必要はない。また、一部に横方向にスリットを形成しても良い。要は、前記弾性ベース体２の係脱手段５ａ、５ａは、後述するスピーカー３の係脱手段５の他方５ｂと自在に係着すれば良い。
【００１７】
なお、弾性ベース体２は、可撓性の発砲ポリプロピレンでてきている。また、開口部７を形成しない場合には、非開口の中央部を他の部位より薄く形成する。
【００１８】
（３）スピーカー３
図５は、スピーカー３及び弾性ベース体２に複数個（例えば２個）のスピーカー３を取り付ける場合の説明図である。スピーカー３の形状は、四角、円形、楕円等の如何を問わないが、例えばいわゆるパソコンに用いられる「マウス」の如く小型のものである。したがって、スピーカー３は肉厚が薄いものが望ましい。しかして、スピーカー３は、その内部に基板１５を有し、該基板１５には、スピーカー３から放出される放出音を増幅する増幅手段（増幅器）１６設けられている（図８参照）。また、スピーカー３の裏側１３には、係脱手段５の他方５ｂが設けられている。本実施例では、弾性ベース体２の係脱手段５ａがメス面ファスナーなので、スピーカー３側の係脱手段の他方５ｂはオス面ファスナーである。
【００１９】
なお、この実施例では、前記係脱手段５は、メス・オスの面ファスナーであるが、もちろん係脱手段５はメス・オスの面ファスナーでなく、磁性体に代えることもできる。
【００２０】
（４）弾性ベース体２に対するスピーカー３の装着
図６は、スピーカー３が椅子Ｙの背もたれ１ｂの好みの位置に取り付けられることを示す説明図である。図で示すように、スピーカー３は、ベース体２の左右の端部２ｃ、２ｃに沿って取付けられる。付言すると、スピーカー３は、係脱手段５を介して使用者の所望する位置に取り付けられる。
【００２１】
（５）スピーカー３の通信手段
図７は、実施形態に係る全体構成の説明図、また図８は本発明を含む送受信装置の説明図である。例えば本装置Ｘは音源を無線式で受信することができる。前述したように、スピーカー３には基板１５が取付けられ、該基板１５には少なくともスピーカー３から放出される放出音を増幅する増幅手段（増幅器）１６が設けられている。図８を参照に説明すると、スピーカー３側は、基板１５、音源を増幅する増幅手段１６、電源（電池）１７、テレビ、ラジオ、携帯プレーヤーなどの音源発生装置Ｚの出力部（送信部）１８からの音源を受信する入力部（受信部）１９を有する。なお、コードが邪魔になるものの、通信手段は電波式に限らず、有線でも良い。
【実施例】
【００２２】
この欄では、本発明の異なる実施形態を説明する。なお、異なる実施形態を説明するに当たって、第１実施形態と同一の構成には同一又は同様の符号を付して重複する説明を省略する。
【００２３】
まず、図９及び図１０は本発明の第２実施形態を示各説明図である。第２実施形態が前記第１実施形態と主として異なる事項は、（ａ）係脱手段５Ａの一方（メス側）は、弾性ベース体２Ａ両端部２ｃにそれぞれ設けられた複数個の受け入れ部分２０である点、（ｂ）一方、係脱手段５Ａの他方（オス側）は、スピーカー３の裏側１３に固定された弾性の取付け片２１で、該取付け片２１の取付け基端部２１ａからＬ字形状に延びる先端部２１ｂは、前記受け入れ部分２０の少なくとも２以上に差し込みできるように二股状に形成されている点である。なお、図１０で示すように、前記受け入れ部分２０は、その受け入れ口は、その挿入端部よりも上方に位置するように右上りの状態（傾斜状）に形成されている。
【００２４】
次に、図１１及び図１２は本発明の第３実施形態を示各説明図である。第３実施形態が前記第１実施形態と主として異なる事項は、係脱手段５Ｂの一方（メス側）は、弾性ベース体２Ｂ両端部２ｃに沿って複数個の係合孔２５を上下方向に並列した点である。（ｂ）一方、係脱手段５Ｂの他方（オス側）は、スピーカー３の裏側１３に固定された弾性の取付け片２６に設けられた係合突起２７で、本実施例では、４つの係合突起２７を該取付け片２６の取付け基端部２６ａからＬ字状に延びる係合部分の先端部２６ｂに設けた点である。
【産業上の利用可能性】
【００２５】
本発明は、椅子用音発生装置を製造・販売する業界で利用される。
【符号の説明】
【００２６】
Ｘ…椅子用音発生装置、Ｙ…椅子、１ａ…座部、１ｂ…背もたれ、２、２Ａ、２Ｂ…弾性ベース体、２ａ…表面、２ｂ…下端部、２ｃ…左右の端部、２ｄ…反対側の端部、３…スピーカー、４…取付け手段、５、５Ａ、…係脱手段、７…開口部、８…バンド、９…バンド、１０…メス面ファスナー、１２…スリット、１３…スピーカー３の裏側、１５…基板、１６…増幅手段（増幅器）、１７…電源（電池）、１８…出力部（送信部、１９…入力部（受信部）、２０…受け入れ部分、２１…取付け片、２５…係合孔、２６…取付け片、２７…係合突起、Ｚ…音源発生装置。
【図１】
2011229553.tif 000003
【図２】
2011229553.tif 000004
【図３】
2011229553.tif 000005
【図４】
2011229553.tif 000006
【図５】
2011229553.tif 000007
【図６】
2011229553.tif 000008
【図７】
2011229553.tif 000009
【図８】
2011229553.tif 000010
【図９】
2011229553.tif 000011
【図１０】
2011229553.tif 000012
【図１１】
2011229553.tif 000013
【図１２】
2011229553.tif 000014